(57)【特許請求の範囲】
【請求項１】
３つのストーン（２１；２２；２３）と、
前記ストーン（２１；２２；２３）を受け且つ位置させるように適合した各々の３つの隣接平面（３１；３２；３３）を含む台座（３５）と、
第一の面（３１）に配置され、第一の色を示す第一のストーン（２１）と、
前記第一のストーン（２１）と垂直に位置するように第二の面（３２）に配置され、前記第一の色とは異なる第二の色を示す第二のストーン（２２）と、
前記第一のストーン（２１）および前記第二のストーン（２２）と垂直に位置するように第三の面（３３）に配置され、前記第一の色および前記第二の色とは異なる第三の色を示す第三のストーン（２３）と、を備え、
前記第一、第二および第三のストーン（２１，２２，２３）の各々は、外側を向いているテーブル（２１４，２２４，２３４）を含み、
前記第一、第二および第三の色の各々は、観る角度を変えたときに別の色に変化する、複数ストーンセッティング（２０）。
【請求項２】
前記第一、第二および第三のストーン（２１，２２，２３）が、中心が円形のダイヤモンドである、請求項１に記載の複数ストーンセッティング（２０）。
【請求項３】
前記第一、第二および第三のストーン（２１，２２，２３）が、ホワイトダイヤモンドである、請求項１に記載の複数ストーンセッティング（２０）。
【請求項４】
前記第一のストーン（２１）は第一の中心軸（２１６）に沿って縦方向に延在し、
前記第二のストーン（２２）は第二の中心軸（２２６）に沿って縦方向に延在し、
前記第三のストーン（２３）は第三の中心軸（２３６）に沿って縦方向に延在し、
前記第一の中心軸（２１６）は前記第二の中心軸（２２６）と垂直であり、前記第三の中心軸（２３６）は、前記第一の中心軸（２１６）および前記第二の中心軸（２２６）と垂直である、請求項１〜３のいずれか１項に記載の複数ストーンセッティング（２０）。
【請求項５】
前記第一、第二および第三の面（３１，３２，３３）が、結合して前記台座（３５）を形成する別個の要素である、請求項１〜４のいずれか１項に記載の複数ストーンセッティング（２０）。
【請求項６】
前記台座（３５）が一体構造として形成されている、請求項１〜４のいずれか１項に記載の複数ストーンセッティング（２０）。
【請求項７】
前記第一、第二および第三の面（３１，３２，３３）は開口（３６）を備える、請求項１〜６のいずれか１項に記載の複数ストーンセッティング（２０）。
【請求項８】
前記開口が前記第一、第二および第三のストーン（２１，２２，２３）の位置決めを補助する、請求項７に記載の複数ストーンセッティング（２０）。
【請求項９】
中心爪（４１）および複数の周囲爪（４２）をさらに含み、
前記中心爪（４１）が、前記台座（３５）の中心から垂直に上方へ延在し、前記第一、第二および第三のストーン（２１，２２，２３）をはめ込むための軸受けを含み、
前記周囲爪（４２）の各々が、前記台座（３５）の外周から垂直に上方へ延在し、前記第一、第二および第三のストーン（２１，２２，２３）のいずれかをはめ込むための軸受けを含み、
前記第一、第二および第三のストーン（２１，２２，２３）の各々が、前記中心爪（４１）および少なくとも２個の前記周囲爪（４２）によって固定されている、請求項１〜８のいずれか１項に記載の複数ストーンセッティング（２０）。
【請求項１０】
前記第一、第二および第三の色が、サファイアを模倣する青色からダイヤモンドを模倣する白色までの範囲の色である、請求項１〜９のいずれか１項に記載の複数ストーンセッティング（２０）。
【請求項１１】
その一つまたは複数を用いて宝石品が形成される、請求項１〜１０のいずれか１項に記載の複数ストーンセッティング（２０）。
【請求項１２】
互いに結合して表面を形成する、請求項１〜１１のいずれかの請求項に記載のいくつかの複数ストーンセッティングの組合せ。
【請求項１３】
２つのストーン（７１；７２）と、
前記ストーンを（７１；７２）受け且つ位置させるように適合した各々の２つの隣接平面（８１；８２）を含む台座と、
第一の面（８１）に配置され、第一の色を示す第一のストーン（７１）と、
前記第一のストーン（７１）と垂直に位置するように第二の面（８２）に配置され、前記第一の色とは異なる第二の色を示す第二のストーン（７２）と、を備え、
前記第一および第二のストーン（７１，７２）の各々は、外側を向いているテーブル（７１４および７２４）を含み、
前記第一および第二の色の各々は、観る角度を変えたときにかつ照明条件とは無関係に別の色に変化する、複数ストーンセッティング（７０）。
【請求項１４】
前記第一および第二のストーン（７１，７２）が、ホワイトで中心が円形のダイヤモンドである、請求項１３に記載の複数ストーンセッティング（７０）。
【請求項１５】
前記第一のストーン（７１）が第一の中心軸（７１６）に沿って縦方向に延在し、
前記第二のストーン（７２）が第二の中心軸（７２６）に沿って縦方向に延在し、
前記第一の中心軸（７１６）が前記第二の中心軸（７２６）と垂直である、請求項１３または１４に記載の複数ストーンセッティング（７０）。
【請求項１６】
前記第一および第二の面（８１および８２）には、前記第一および第二のストーン（７１，７２）の位置決めを補助する開口（８６）が形成されている、請求項１３〜１５のいずれか１項に記載の複数ストーンセッティング（７０）。
【請求項１７】
前記第一のストーン（７１）および前記第二のストーン（７２）が、爪（９１および９２）ならびに部分ベゼル（９３）の組合せによって、所定の位置に固定されている、請求項１３〜１６のいずれか１項に記載の複数ストーンセッティング（７０）。
【請求項１８】
第一の列（７１０）に取り付けられた複数の前記第一のストーン（７１）と、
第二の列（７２０）に、前記第一のストーン（７１）に対してずらされて取り付けられた複数の前記第二のストーン（７２）と、をさらに含み、
前記第一の列（７１０）が前記第一の色を示し、
前記第二の列（７２０）が、前記第一の色とは異なる前記第二の色を示し、
前記第一および前記第二の色が観る角度を変えたときに変化する、請求項１３〜１７のいずれか１項に記載の複数ストーンセッティング（７０）。
【請求項１９】
複数の前記第一の列（７１０）および複数の前記第二の列（７２０）が、互い違いに配列されている、請求項１８に記載の複数ストーンセッティング（７０）。
【請求項２０】
その少なくとも一つを用いて宝石品が形成される、請求項１３〜１９のいずれか１項に記載の複数ストーンセッティング（７０）。
【請求項２１】
それらの複数個を利用して色変化するロゴまたはネームを示す、請求項１３〜２０のいずれか１項に記載の複数ストーンセッティング（７０）。
【請求項２２】
互いに結合して表面を形成する、請求項１３〜２１のいずれかの請求項に記載のいくつかの複数ストーンセッティングの組合せ。
【発明の詳細な説明】
【技術分野】
【０００１】
本発明は宝石類に関し、より詳細には、色変化する複数ストーンセッティングに関する。
【背景技術】
【０００２】
宝石業界には、外観を高めた宝石類を設計して作り出すという継続的な課題がある。宝石用原石の配列は、多くの場合に、個々の宝石の外観を高めるように作り出され、例として、それらの視覚特徴を変えることで外観を高める。これは多くの場合に、中心のストーンに対して相補的なストーンを埋め込むことによって行われる。そのような相補的なストーンの配列は、光を反射または屈折して中心のストーンの天然の美しさをさらに高めるように行うことができる。この方法は、例として、米国特許第７，１２７，９１６号および米国特許出願公開第２００４／０２３７５８５号に示されている。
【０００３】
近年では、色変化する宝石類はかなり人気が高くなっている。現在、色変化する宝石類は、多くの場合、色変化する宝石用原石を利用して作り出される。色変化する宝石用原石には、例えば、アレキサンドライト、アイオライト、サファイア、またはガーネットがあり、これらは、異なる照明条件、例えば、白色光、蛍光灯、日当たりの良い屋外、雨降りの屋外、または日陰の屋外で見たときに色が変化する。そのような宝石用原石は、希少かつ高価である。そのような色変化する宝石類にかかる費用を低減するために、人造石、例えば、「Ａｌｅｘａｎｄｒｉｕｍ」という商品名で販売されている人造コランダム、または厳密な人造アレキサンドライトを実験室で作り出すことができる。しかしながら、それらの各ストーンは個別に色変化するため、複数ストーンセッティングでの用途を制限する場合がある。
【０００４】
色変化する宝石類を作り出す別の方法には、クリスタルガラスにコーティングを塗布する方法がある。例として、観察者の視点に伴い緑色から金色、赤紫色、青色に変化する、「ｖｉｔｒａｉｌ」と呼ばれるコーティングで仕上げられるスワロフスキー社製のクリスタルガラスが公知となっている。しかしながら、特に天然ストーンを用いる場合には、ストーンの天然の美しさを隠してしまうコーティングを塗布することは望ましくはないことがある。その上、コーティングの塗布は、費用を比較的に増大する余分な工程となる。
【発明の概要】
【発明が解決しようとする課題】
【０００５】
当業界において要求されることは、照明条件とは無関係に、かつ表面コーティングを塗布することなく、観る角度を変えたときに色が変化するストーン配列のための配置である。
【課題を解決するための手段】
【０００６】
本発明の目的は、より簡単な方法でストーン配列における美的外観の変化を可能にする複数ストーンセッティングを提供することにある。
【０００７】
本発明の目的は、観察者の視点に応じた、ストーン配列全体における美的外観の変化を可能にする複数ストーンセッティングを提供することにある。
【０００８】
本発明の目的は、観察者または宝石品それ自体のいずれかの移動時に、色の移り変りおよび色変化を通じた遊び心に伴う気分の高揚を生み出す宝石品の生成を可能にすることにある。
【０００９】
簡潔に記述すれば、本発明は、３色変化する面の形成を可能にする複数ストーンセッティングを有する、色変化する宝石類を提供する。一実施態様として、例として、標準的なホワイトで中心が円形のダイヤモンドでもよい３個のストーンが、それらが互いに９０°の角度で台座の面に配置される。３個のストーン全てのそれぞれの中心軸、さらにはそれぞれのガードルは、テーブルが外側を向いた状態でストーンが配置されると、互いに対して垂直に位置付けされる。この結果、各ストーンはその傾斜角に起因して互いに異なる色を示す。公知の先行技術とは異なり、この種々の色の表示は、周囲の照明条件とは無関係である。
【００１０】
本発明に係る代替態様では、複数ストーンセッティングは２色変化する面の形成を可能にする。この態様では、２個のストーンが互いに９０°の角度で台座の面に配置される。２個のストーンのそれぞれの中心軸、さらにはそれぞれのテーブルは、それぞれ、テーブルが外側を向いた状態でストーンが配置されると、互いに対して垂直に位置付けされる。この結果、各ストーンはストーンの傾斜角に起因して異なる色を示す。公知の先行技術とは異なり、この種々の色の表示もまた、周囲の照明条件とは無関係である。
【００１１】
両方の複数ストーンセッティングにおけるストーンは、一体構造として作られてもよいし、いくつかの別個の面を結合して形成された台座に配置してもよい。さらに、両方の複数ストーンセッティングにおけるストーンは、好ましくは、最も効果的にストーンを見せるように、爪、または爪とベゼルとの組合せに配置することができる。
【００１２】
本発明の実施態様に係る両方の色変化する複数ストーンセッティングを利用して宝石品を製造するか、種々の性質を有する物体および構造を改良することができる。複数の２色変化する複数ストーンセッティングを組み合せるか、複数の３色変化する複数ストーンセッティングを組み合せるか、さらには複数の２色変化する複数ストーンセッティングと３色変化する複数ストーンセッティングとを組み合せることによって、さまざまな色変化する面を作り出すことができる。これらの表面は、静止した表面ではなく、それどころか、観察者の移動または複数ストーンセッティングそれ自体の物体の移動によって自律的なエンティティを与える表面である。この結果、本発明に係る複数ストーンセッティングにおける美的外観は、視点に応じて簡単に変化する。
【００１３】
本発明を、添付図面を参照するとて例としてここに記述する。
【図面の簡単な説明】
【００１４】
【図１】本発明の実施態様に係る標準的なストーンを示す概略正面図である。
【図２】本発明の第一の実施態様に係る３色変化するストーンセッティングを示す斜視図である。
【図３】本発明の第一の実施態様に係る３色変化するストーンセッティングを示す正面図である。
【図４】本発明の第一の実施態様に係る３色変化するストーンセッティングを示す底面図である。
【図５】本発明の第一の実施態様に係る３色変化するストーンセッティングの例示的な利用を示す図である。
【図６】本発明の第二の実施態様に係る２色変化するストーンセッティングを示す斜視図である。
【図７】本発明の第二の実施態様に係る２色変化するストーンセッティングを示す正面図である。
【図８】本発明の第二の実施態様に係る２色変化するストーンセッティングを示す底面図である。
【発明を実施するための形態】
【００１５】
対応する参照符号は、いくつかの図面にわたって対応する部品を指す。本明細書に提示する例示は、本発明の例示的な実施態様を一形態において示し、そのような例示は、いかなる方法によっても本発明の範囲を限定するものとは解釈されない。
【００１６】
本発明を、特定の実施態様および前述の図面を参照するとて記述するが、そのような記述は例に過ぎず、本発明は、それによっては限定されず、請求の範囲によってのみ制限される。
【００１７】
図１を参照すると、本発明に従い利用され得る標準的なストーン１０が図示されている。ストーン１０は中心が円形のダイヤモンドとして示し、これは、周知のように、クラウン１１、ガードル１２、パビリオン１３、テーブル１４、およびキューレット１５を含む。クラウン１１はガードル１２の上方に位置し、一方、パビリオン１３はガードル１２の下方に位置する。ストーン１０は、中心軸１６に沿ってテーブル１４からキューレット１５に縦方向に延在する。ストーン１０は、中心軸１６から外側に半径方向に延在するものとして示す。テーブル１４は平坦でもよい。クラウン１１は上部ファセット１７を含んでもよく、パビリオン１３は下部ファセット１８を含んでもよい。ストーン１０は人造石に加えて、ダイヤモンドまたは他の貴石または半貴石の宝石用原石でもよい。ストーン１０は、好ましくは、ホワイトダイヤモンドでもよい。違う色のストーン１０を利用することもさらに可能である。ストーン１０は円形として示すが、その形状に限定されない。他の形状、例えば、正方形、長方形、長円またはクッション形状のものを用いてもよい。
【００１８】
図２〜図４を参照すると、本発明の第一の実施態様に係る、３色変化を可能にする複数ストーンセッティング２０が図示されている。複数ストーンセッティング２０は、図１に示すストーン１０と同じでもよい３個のストーン２１，２２，２３を含む。それゆえに、ストーン２１は、クラウン２１１、ガードル２１２、パビリオン２１３、テーブル２１４、およびキューレット２１５を含み、中心軸２１６に沿って延在できる。それゆえに、ストーン２２は、クラウン２２１、ガードル２２２、パビリオン２２３、テーブル２２４、およびキューレット２２５を含み、中心軸２２６に沿って延在できる。それゆえに、ストーン２３は、クラウン２３１、ガードル２３２、パビリオン２３３、テーブル２３４、およびキューレット２３５を含み、中心軸２３６に沿って延在できる。
【００１９】
３個のストーン２１，２２，２３の各々は、面３１，３２，３３にそれぞれが配置され、そのそれぞれのテーブル２１４，２２４，２３４は外側を向いている。図４に示すように、面３１，３２，３３は、一体構造の台座３５として形成されてもよい。また、図３に示すように、ストーン２１，２２，２３が互いに９０°の角度で配置され得るように、面３１，３２，３３が互いに対して位置してもよい。あるいは、面３１，３２，３３は、結合して台座３５を形成できる別個の要素でもよい。図３から見てとれるように、ストーン２１のガードル２１２は、ストーン２２のガードル２２２と垂直に位置し、それゆえに、ストーン２１の中心軸２１６は、ストーン２２の中心軸２２６と垂直に位置する。図２から導き出されるように、ストーン２３の中心軸２３６は、ストーン２１の中心軸２１６およびストーン２２の中心軸２２６と垂直に位置する。図４に示すように、面３１，３２，３３には開口３６が形成されてもよく、この開口３６は、一方では、構成要素を保持し、他方では、これを用いてストーン２１，２２，２３のそれぞれのキューレット２１５、２２５および２３５を受け入れてそこに位置させることができる。あるいは、一様な面３１，３２，３３を用いてもよい。面３１，３２，３３、それ故台座３５は、金、銀、または任意の他の好適な金属から作ることができる。
【００２０】
ここで再度図３を参照するように、複数の爪、すなわち、中心爪４１および周囲爪４２によって、ストーン２１，２２，２３のそれぞれを、面３１，３２，３３の所定の位置に固定できる。中心爪４１は、台座３５の中心から垂直に上方へ延在し、その最上部の先端に、ストーン２１，２２，２３のガードル２１２，２２２，２３２のそれぞれをはめ込むための軸受けを含む。あるいは、単一の中心爪４１を用いる代わりに、その各々がストーン２１、２２または２３のいずれかをはめ込むための軸受けを含む３個の別個の爪（図示せず）を利用してもよい。中心爪４１での固定に加えて、各ストーン２１，２２，２３は、少なくとも２個の周囲爪４２によってさらに固定される。各周囲爪４２は、それぞれ、台座３５の外周から垂直に上方へ延在し、その最上部の先端に、ストーン２１，２２，２３のいずれかのガードル２１２，２２２，２３２をはめ込むための軸受けを含む。図３に示すように、ストーンが配置されると、ストーン２１，２２，２３のガードル２１２，２２２，２３２は、それぞれ、垂直に延在する爪４１，４２に対して４５°の角度で位置付けされる。互いに対して９０°の角を成すストーン２１，２２，２３の配置は、台座３５に接続された爪４１，４２の使用によって制限されない。他のセッティング技術、例えば、チャネルセッティング、ニックセッティング、パーベーセッティング、またはバニッシングが、一部の用途では有用となり得る。
【００２１】
ストーンセッティング２０が完成すると、各ストーン２１，２２，２３は、それらの傾斜角に起因して異なる色を示すことができる。このようにして、ストーンセッティング２０は３つの異なる色を同時に示す。さらに、表示された色の各々は、観る角度を変えたときに、照明条件とは無関係に別の色に変化する。サファイアを模倣する青色からダイヤモンドを模倣する白色までの範囲の色を示すことができる。
【００２２】
ここで図５を参照すると、本発明の一態様に係る３色変化するストーンセッティング２０の例示的な利用が図示されている。丸い宝飾品５０、例えば、ボタン、ピン、装飾品、ブローチ、またはペンダンにおいて結合した複数のストーンセッティング２０を示す。あるいは、複数のストーンセッティング２０は、基本的には望ましい任意の形状で結合できる。ストーンセッティング２０は、観る角度を変えたときに色変化する幾何学模様を形成するか、例として、ロゴ、ネームまたはイニシャルを示すように配列することができる。代替態様では、結合したストーンセッティング２０の２個以上の群を形成し、ストーンセッティング２０のこれらの群を互いに対して傾けることにより、これらの群から宝飾品を作り出すことができる。
【００２３】
ここで図６〜８を参照すると、本発明の第二の実施態様に係る、２色変化を可能にする複数ストーンセッティング７０が図示されている。複数ストーンセッティング７０は、図１に示すストーン１０と同じでもよい少なくとも２個のストーン７１，７２を含む。それゆえに、ストーン７１は、クラウン７１１、ガードル７１２、パビリオン７１３、テーブル７１４、およびキューレット７１５を含み、中心軸７１６に沿って延在できる。それゆえに、ストーン７２は、クラウン７２１、ガードル７２２、パビリオン７２３、テーブル７２４、およびキューレット７２５を含み、中心軸７２６に沿って延在できる。
【００２４】
２個のストーン７１，７２の各々は、面８１および８２にそれぞれが配置され、そのそれぞれのテーブル７１４および７２４は外側を向いている。図８に示すように、面８１および８２は、一体構造の台座８５として形成されてもよい。また、図７に示すように、ストーン７１，７２が互いに９０°の角度で配置され得るように、面８１および８２が互いに対して位置してもよい。あるいは、面８１および８２は、結合して台座８５を形成できる別個の要素でもよい。図７から見てとれるように、ストーン７１のテーブル７１４は、ストーン７２のテーブル７２４と垂直に位置し、それゆえに、ストーン７１の中心軸７１６は、ストーン７２の中心軸７２６と垂直に位置する。図８に示すように、面８１および８２には開口８６が形成されてもよく、この開口８６は、一方では、構成要素を保持し、他方では、これを用いてストーン７１，７２のそれぞれのキューレット７１５および７２５を受け入れてそこに位置させることができる。あるいは、一様な面８１および８２を用いてもよい。面８１および８２、それ故台座８５は、金、銀、または任意の他の好適な金属から作ることができる。
【００２５】
ここで再度図６および図７を参照するように、台座８５のおおよそ真ん中に位置する２個の中心爪９１および９２、ならびに台座８５の両端に形成された２個の部分ベゼル９３によって、ストーン７１，７２のそれぞれを、面８１および８２の所定の位置に固定できる。ベゼル９３は、その上端に、ガードル７１２および７２２をはめ込むための軸受けを含む壁状でもよい。部分ベゼル９３の各々は、少なくとも２個の爪（図示せず）と置換してもよい。中心爪９１は、台座８５から垂直に上方へ延在し、その最上部の先端に、ストーン７１のガードル７１２をはめ込むための軸受けを含む。中心爪９２は、中心爪９１から少し離れて台座８５から垂直に上方へ延在し、その最上部の先端に、ストーン７２のガードル７２２をはめ込むための軸受けを含む。中心爪９１および９２での固定に加えて、各ストーン７１，７２は、部分ベゼル９３によってさらに固定できる。図７に示すように、ストーンが配置されると、ストーン７１，７２のガードル７１２および７２２は、それぞれ、垂直に延在する爪９１および９２に対して４５°の角度で位置付けされる。互いに対して９０°の角を成すストーン７１，７２の配置は、台座８５に接続された爪９１および９２ならびに部分ベゼル９３の使用によって制限されない。他の配置技術、例えば、ブロングセッティング、チャネルセッティング、ニックセッティング、パーベーセッティング、またはバニッシングが、一部の用途では有用となり得る。
【００２６】
ストーンセッティング７０が完成すると、各ストーン７１，７２は、それらの傾斜角に起因して異なる色を示すことができる。このようにして、ストーンセッティング７０は２つの異なる色を同時に示す。さらに、表示された色の各々は、観る角度を変えたときに、照明条件とは無関係に別の色に変化する。サファイアを模倣する青色からダイヤモンドを模倣する白色までの範囲の色を示すことができる。
【００２７】
図６および図８に示すように、２組以上のストーン７１，７２を用いてストーンセッティング７０を形成してもよい。この場合では、複数のストーン７１を列７１０に取り付け、複数のストーン７２を列７２０に取り付けることができる。ストーン７２はストーン７１に対してずらされて位置できる。互いにずらされて位置する列７１０，７２０は、それぞれ、任意の所望の数のストーン７１またはストーン７２を含むことができる。また、任意の所望の数の互い違いの列７１０，７２０を利用することができる。列７１０に配列されたストーン７１は第一の色を示し、一方、列７２０に配列されたストーンは、第一の色とは異なる第二の色を示すことができる。観察者の視点が変化するか、ストーンセッティング７０の使用者が動くと、現在表されている色の各々は別の色に変化する。さらに、ストーンセッティング７０をストーンセッティング２０と同じ様に利用することにより、図５に関連して先に記載したような宝飾品を作り出すことができる。
【００２８】
本発明の例示的な実施態様に係る複数ストーンセッティング２０，７０を提供することにより、それぞれ、３色および２色変化する面を作り出すことができる。複数ストーンセッティング２０，７０の色、それ故美的外観は、配置されたストーン７１，７２に加えてストーン２１，２２，２３の９０°の傾斜角に起因して、観察者の視点に伴い変化する。それゆえに、ストーンセッティング２０，７０は、静止した表面ではなく、それどころか、観察者または複数ストーンセッティング２０または７０それ自体の移動によって自律的なエンティティを与える表面を提供する。ストーンセッティング２０，７０は、種々の性質を有する物体および構造の改良に加えて、宝石品の製造にも有用となり得る。
【００２９】
本発明を種々の具体的な実施態様を参照するとて記述したが、記述した本発明の概念の精神および範囲内の数多くの変更がなされることが理解されるはずである。それゆえに、本発明は記述した実施態様に制限されず、以下の請求の範囲の用語によって定義される最大限の範囲を有することが意図される。
【図１】
0005866381.tif 000002
【図２】
0005866381.tif 000003
【図３】
0005866381.tif 000004
【図４】
0005866381.tif 000005
【図５】
0005866381.tif 000006
【図６】
0005866381.tif 000007
【図７】
0005866381.tif 000008
【図８】
0005866381.tif 000009